(57)【要約】【課題】ＬＡＮ配線を施工することなく、電力線を利用して所望の場所でローカルエリアネットワークに接続される機器を使用できるようにした配線システムを提供する。【解決手段】配線システムは、ダクト本体１０内に商用電源が供給される導体１３を配置した配線ダクト１と、配線ダクト１の挿通孔１２に一部を挿入した状態で配線ダクト１に着脱自在に取着されるコンセントブロック２とを備える。コンセントプラグ２は、導体１３に電気的に接続される栓刃２８と、栓刃２８を介して供給される商用電源を負荷に供給するための電源用コンセント２４と、電力路を通じて電力線搬送によりデータを送受信する電力線搬送通信部と、電力線搬送通信部が入出力するデータとＬＡＮ接続ポート２５を介して入出力されるデータとのプロトコル変換を行うプロトコル変換部とを備える。【選択図】図１
2007166418.tif 000002
【特許請求の範囲】
【請求項１】
造営面に配設される細長のダクト本体を具備し、ダクト本体の内部の電源スペースと外部とを連通する連通孔をダクト本体の表面に長手方向に沿って形成するとともに、前記電源スペースに商用電源を給電するための導体をダクト本体の長手方向に沿って配置した配線ダクトと、前記連通孔を通して前記配線ダクトの内部に一部を挿入した状態で、前記配線ダクトに対して着脱自在に取り付けられるコンセントプラグとを具備した配線システムにおいて、前記コンセントプラグが、前記導体に電気的に接続される給電部材と、給電部材を介して供給される商用電源を負荷に供給するための電源用コンセントと、ローカルエリアネットワークの通信機器を接続するためのＬＡＮ接続ポートと、給電部材を介して接続される導体を通して電力線搬送通信によりデータを送受信する電力線搬送通信部と、電力線搬送通信部から入力されるデータをプロトコル変換してＬＡＮ接続ポートに出力するとともに、ＬＡＮ接続ポートから入力されるデータをプロトコル変換して電力線搬送通信部に出力するプロトコル変換部とを備えて成ることを特徴とする配線システム。
【請求項２】
前記給電部材と前記電源用コンセントとの間の電路に、電力線搬送通信に用いる所定の周波数帯域に対してインピーダンスが高く、商用電源周波数に対してはインピーダンスが低いインピーダンスアッパを設けたことを特徴とする請求項１記載の配線システム。
【請求項３】
前記給電部材と前記電源用コンセントとの間で電力波形に重畳したデータを伝達可能とする状態と、前記データを伝達不能にする状態とを切り換える切替スイッチを設けたことを特徴とする請求項１又は２記載の配線システム。
【発明の詳細な説明】
【技術分野】
【０００１】
本発明は、電力線搬送通信を用いる配線システムに関するものである。
【背景技術】
【０００２】
従来より、建物の壁に配設される配線ダクトと、配線ダクトに対して着脱自在に接続されるコンセントプラグとを備えた配線システムが提供されている（例えば特許文献１参照）。配線ダクトは横長のダクト本体を有し、ダクト本体の前面には、内部の電源スペースと外部とを連通する連通孔が長手方向に沿って形成されており、上記電源スペースには商用電源を給電するための導体が配設されている。一方、コンセントプラグは、連通孔を通して後部をダクト本体の内部に嵌め込んだ状態で配線ダクトに取着され、配線ダクトに取着した状態において配線ダクトの導体から電源用コンセントに商用電源が供給されるようになっている。而して、この配線システムでは、ダクト本体の長手方向における任意の位置にコンセントプラグを取り付けることができ、電気機器の設置場所の近くにコンセントプラグを取り付けることで、電気機器までの配線を短い距離で行えるようになっている。
【０００３】
また従来より、電力線を通じて電力線搬送通信（Power Line Communication）により情報信号を送受信する電力線搬送通信機器を用い、宅内に配線された電力線を利用して情報信号を送受信する配線システムが提案されている（例えば特許文献２参照）。このような電力線搬送通信機器を、上述の配線システムに用いるコンセントプラグに接続すると、電力線搬送通信機器が、配線ダクトの導体を介して造営面内に先行配線された電力線に接続されるので、電力線を利用して情報信号の送受信を行うことができる。しかもコンセントプラグは配線ダクトの所望の位置に取り付けることができるので、電力線搬送通信機器からコンセントプラグまでの配線距離を短くできるという利点もある。
【特許文献１】特開昭６３−１３３４７４号公報
【特許文献２】特開２００５−２３６８１５号公報
【発明の開示】
【発明が解決しようとする課題】
【０００４】
上述した配線システムでは、電力線搬送通信機能を備えた電気機器を電源コンセントに接続することで、電力線を介して情報信号の送受信を行っているのであるが、例えばデジタル双方向放送の受信時に必要なＬＡＮ機器などを使用する場合、電力線とは別にＬＡＮ配線を施工する必要があり、ＬＡＮ配線の施工に手間やコストがかかるという問題があった。
【０００５】
本発明は上記問題点に鑑みて為されたものであり、その目的とするところは、ＬＡＮ配線を施工することなく、電力線を利用して所望の場所でローカルエリアネットワークに接続される機器を使用できるようにした配線システムを提供することにある。
【課題を解決するための手段】
【０００６】
上記目的を達成するために、請求項１の発明は、造営面に配設される細長のダクト本体を具備し、ダクト本体の内部の電源スペースと外部とを連通する連通孔をダクト本体の表面に長手方向に沿って形成するとともに、電源スペースに商用電源を給電するための導体をダクト本体の長手方向に沿って配置した配線ダクトと、連通孔を通して配線ダクトの内部に一部を挿入した状態で、配線ダクトに対して着脱自在に取り付けられるコンセントプラグとを具備した配線システムにおいて、コンセントプラグが、導体に電気的に接続される給電部材と、給電部材を介して供給される商用電源を負荷に供給するための電源用コンセントと、ローカルエリアネットワークの通信機器を接続するためのＬＡＮ接続ポートと、給電部材を介して接続される導体を通して電力線搬送によりデータを送受信する電力線搬送通信部と、電力線搬送通信部から入力されるデータをプロトコル変換してＬＡＮ接続ポートに出力するとともに、ＬＡＮ接続ポートから入力されるデータをプロトコル変換して電力線搬送通信部に出力するプロトコル変換部とを備えて成ることを特徴とする。
【０００７】
請求項２の発明は、請求項１の発明において、給電部材と電源用コンセントとの間の電路に、電力線搬送通信に用いる所定の周波数帯域に対してインピーダンスが高く、商用電源周波数に対してはインピーダンスが低いインピーダンスアッパを設けたことを特徴とする。
【０００８】
請求項３の発明は、請求項１又は２の発明において、電源用コンセントと給電部材との間で電力波形に重畳したデータを伝達可能とする状態と、データを伝達不能にする状態とを切り換える切替スイッチを設けたことを特徴とする。
【発明の効果】
【０００９】
本発明によれば、コンセントプラグでは、プロトコル変換部が電力線搬送通信部とＬＡＮ接続ポートとの間でプロトコル変換を行っているので、電力線搬送通信の機能を持たないローカルエリアネットワークの通信機器をＬＡＮ接続ポートに接続すれば、専用のＬＡＮ配線を施工しなくても電力線を利用して情報通信を行えるから、配線の数を減らしてコストダウンが図れるという効果がある。またコンセントプラグは、配線ダクトの表面に長手方向に沿って形成された連通孔を通して配線ダクトの内部に一部を挿入した状態で、配線ダクトに対して着脱自在に取着されるので、ＬＡＮ接続ポートに接続される通信機器の近くにコンセントプラグを取り付けることで、通信機器までの配線距離を短くできるという効果もある。
【発明を実施するための最良の形態】
【００１０】
以下に本発明の実施の形態を図面に基づいて説明する。
【００１１】
（実施形態１）
本発明の実施形態１を図１〜図４に基づいて説明する。本実施形態の配線システムは、図１及び図２に示すように例えば建物の壁面のような造営面に配設される配線ダクト１と、配線ダクト１に対して着脱自在に取り付けられるコンセントブロック２とで構成される。尚、以下の説明では特に断りが無いかぎり、図３（ａ）に示す向きにおいて上下左右の方向を規定し、図３（ａ）中の正面を前面として説明を行う。したがって、図３（ｂ）中の左端は後端となる。
【００１２】
配線ダクト１は、図１及び図３（ｂ）に示すようにアルミニウムなどの金属により両端が開口した扁平な角筒状に形成され、表面が絶縁性の合成樹脂でコーティングされたダクト本体１０を備えている。ダクト本体１０における造営面と反対側の面には、上下方向の略中間部に、内部の電源スペース１１と外部とを連通する連通孔１２が長手方向に沿って開口している。またダクト本体１０の電源スペース１１には、連通孔１２を間にして上下両側に、商用電源を給電するための長尺の導体１３，１３が長手方向に沿って配置されている。なおダクト本体１０の下側に、情報線などのケーブルを収納する収納部（図示せず）を設けても良い。
【００１３】
一方、コンセントブロック２の器体は、背面が開口した横長の箱状の前カバー２０と、前カバー２０の背面に取着される後カバー２１とで構成され、後カバー２１には背面側に向かって突出し、連通孔１２を通してダクト本体１０の内部に収納される突出部２２が一体に形成されている。
【００１４】
前カバー２０の前面には、各一対の栓刃挿入口２３を備えた電源用コンセント２４が長手方向の一端側と中間部とにそれぞれ形成されており、ローカルエリアネットワークの通信機器を接続するためのモジュラコネクタよりなるＬＡＮ用接続ポート２５が長手方向の他端側に形成されている。
【００１５】
またコンセントブロック２の背部には、挿通孔１２を通してダクト本体１０の内部に挿入される筒状の回転体２６が回転自在に設けられており、回転体２６を回転させるための摘み２７が前カバー２０の前面に配置されている。回転体２６の周面には、回転体２６の中心部を挟んで対称な位置に一対の栓刃（給電部材）２８，２８が突設されており、摘み２７の回転操作に応じて一対の栓刃２８，２８が水平方向（ダクト本体１０の長手方向と略平行な方向）に並ぶ状態と、垂直方向（ダクト本体１０の短幅方向と略平行な方向と）に並ぶ状態とを選択できるようになっている。また回転体２６の周面には、各栓刃２８の突設位置よりも前方寄りの位置に係止片２９がそれぞれ突設されている。而して、突出部２２を連通孔１２内に挿入した状態で一対の栓刃２８，２８が垂直方向（上下方向）に並ぶ位置まで摘み２７を回すと、係止片２９，２９と後カバー２１の背面との間にダクト本体１０の前壁が挟持されて、コンセントブロック２の器体がダクト本体１０に取着されるとともに、各栓刃２８，２８がダクト本体１０内部に配置された導体１３，１３に電気的に接続されるようになっている。
【００１６】
また、コンセントブロック２の器体には、各栓刃挿入口２３を通して器体内部に挿入される栓刃（図示せず）に電気的に接続される一対の刃受ばね３０が納装されており、各刃受ばね３０は回転体２６に突設された栓刃２８に電気的に接続されている。
【００１７】
またコンセントブロック２の器体には、図４に示すような回路が収納されている。すなわち、コンセントブロック２は、一対の栓刃２８，２８を具備し配線ダクト１から商用電源を給電するための給電コネクタ３１と、各一対の刃受ばね３０を有し、給電コネクタ３１を介して供給される商用電源を負荷に供給するための電源用コンセント２４と、例えばEthernet（登録商標）のようなローカルエリアネットワークの通信機器を接続するためのＬＡＮ接続ポート２５と、給電コネクタ３１を介して接続される導体１３，１３を通して電力線搬送によりデータを送受信する電力線搬送通信回路３３と、電力線搬送通信回路３３から入力されるデータをプロトコル変換してＬＡＮ接続ポート２５に出力するとともに、ＬＡＮ接続ポート２５から入力されるデータをプロトコル変換して電力線搬送通信回路３３に出力するプロトコル変換回路３４とを備えている。
【００１８】
また電源用コンセント２４に電気機器が接続されると、電源に重畳された信号がインピーダンスの低い電気機器側に吸い込まれてしまうため、本実施形態では、給電コネクタ３１と電源用コンセント２４との間の電路に、電力線搬送通信に用いる所定の周波数帯域に対してインピーダンスが高く、商用電源周波数に対してはインピーダンスが低いインピーダンスアッパ３５を設けてある。而して、電源用コンセント２４に電気機器が接続され、この電気機器のインピーダンスが電力線搬送通信に用いる通信周波数帯域に対して低インピーダンスとなっても、インピーダンスアッパ３５によって、給電コネクタ３１と電源用コンセント２４との間の電路が高インピーダンスに維持され、そのため電力線搬送通信に影響を与えることが無く、安定した通信が行える。なお、このインピーダンスアッパ３５は、電源用コネクタ２４に接続される電気機器のインピーダンスが十分高い場合には省略しても良い。なお前述した所定の周波数帯域は例えば１０ｋＨｚ〜４５０ｋＨｚ、２ＭＨｚ〜３０ＭＨｚである。
【００１９】
本配線システムを構成する配線ダクト１およびコンセントブロック２は上記のような構成を有しており、このシステムを施工する際には、先ず配線ダクト１を造営面（例えば室内の壁など）に適宜の方法を用いて固定し、造営面の裏側に先行配線された電力線に導体１３，１３を接続して商用電源を供給するためのフィードインキャップ４を配線ダクト１の一方の端末に取着し、さらに配線ダクト１の他方の端末にエンドキャップ５を取着して、端末の開口を閉塞する（図２参照）。次に、コンセントブロック２の摘み２７を操作して、栓刃２８，２８が水平方向に並ぶ位置まで回転体２６を回転させた状態で、コンセントブロック２の後部（突出部２２および回転体２６）を連通孔１２に通してダクト本体１０の内部に嵌め込んだ後、摘み２７を操作して栓刃２８，２８が上下方向に並ぶ位置まで回転体２６を回転させると、回転体２６に突設された係止片２９，２９と後カバー２１との間にダクト本体１０の前壁が挟持されて、コンセントブロック２がダクト本体１０に保持されるとともに、回転体２６に設けた栓刃２８，２８が導体１３，１３に電気的に接続される。また、ダクト本体１０の連通孔１２には、コンセントブロック２が取着されていない部位にブランクチップ３を取り付けてあり、連通孔１２を閉塞している。なお、本実施形態の配線ダクト１は単相２線式であるが、配線ダクト１の導体１３が接続されている電力線を導出した分電盤（図示せず）は、通常単相３線である。従って、電力線搬送通信を配線ダクト１の外とも行う場合には、異相間通信となることがあるため、この場合、電力線搬送通信の信頼性が下がる可能性がある。そこで分電盤に対して、異相配線間に電力線搬送通信を行う搬送波周波数（例えば前述の所定の周波数帯域）に対しては低いインピーダンスであり、商用電源周波数（５０／６０Ｈｚ）に対しては高いインピーダンスを有するハイパスフィルタである結合器（図示せず）を設けることで、異相間通信も含めて電力線搬送通信の信頼性を向上させることができる。これは、配線ダクト１が単相３線式の場合でもあっても同様である。
【００２０】
コンセントブロック２を配線ダクト１に取り付けた状態では、コンセントブロック２の刃受ばね３０が、給電コネクタ３１を介して配線ダクト１の導体１３に電気的に接続されるので、電源用コンセント２４に接続される電気機器に対して商用電源を供給することができる。また、電力線搬送通信回路３３が、給電コネクタ３１を介して配線ダクト１の導体１３に接続され、さらに造営面に先行配線された電力線に接続されるので、電力路（導体１３および電力線からなる）を通じて電力線搬送方式によりデータの送受信を行うことができ、プロトコル変換回路３４が、ＬＡＮ接続ポート２５に接続される通信機器と電力線搬送通信回路３３との間のプロトコル変換を行うことで、ＬＡＮ接続ポート２５に所定の通信機器を使用して使用することができる。したがって、電力線搬送通信の機能を持たないローカルエリアネットワークの通信機器をＬＡＮ接続ポート２５に接続すれば、専用のＬＡＮ配線を施工しなくても電力線を利用して情報通信を行えるから、配線の数を減らしてコストダウンを図ることができる。
【００２１】
なお、コンセントブロック２を配線ダクト１から取り外す際には、コンセントブロック２の摘み２７を操作して、栓刃２８，２８が水平方向に並ぶ位置まで回転体２６を回転させると、回転体２６の周面に突設された係止片２９，２９が水平方向に並ぶ位置まで回転するので、係止片２９による係止が解除され、コンセントブロック２を配線ダクト１から取り外すことができる。
【００２２】
ところで、電力線搬送通信の方式には、１０ｋＨｚ〜４５０ｋＨｚの周波数帯域を通信に用いる低速の方式と、２ＭＨｚ〜３０ＭＨｚの周波数帯域を通信に用いる高速の方式とがある。上記インピーダンスアッパ３５は、入力インピーダンス特性が上記いずれかの周波数帯域に対して高くなる。ここに、低速の電力線搬送通信の方式としては、シングルキャリア方式、選択型シングルキャリア方式、直接スペクトラム拡散方式等がある。また、高速、大容量の電力線搬送通信の方式としては、マルチキャリア変調方式、ＯＦＤＭ変調方式、スペクトラム拡散変調方式、ＧＭＳＫ変調方式等があり、本配線システムにおいては、いずれの方式を用いてもよく、さらには上記以外の方式であってもよい。
【００２３】
また、コンセントブロック２に、給電コネクタ３１を介して供給される商用電源を所定電圧値（例えばＤＣ４８Ｖ）の直流電圧に変換するＡＣ／ＤＣコンバータ（図示せず）を内蔵させて、ＡＣ／ＤＣコンバータにより生成された直流電圧をＬＡＮ接続ポート２５に供給するとともに、プロトコル変換回路３４が電力線搬送通信回路３３の伝送信号をEthernet（登録商標）プロトコルの信号に変換することにより、ＬＡＮ接続ポート２５をＰｏＥ（Power over Ethernet（登録商標））仕様にしても良く、ＬＡＮ接続ポート２５に接続される通信機器（例えばＶｏＩＰ対応の電話機（ＩＰ電話）や無線ＬＡＮのアクセスポイントやＷｅｂカメラなど）に電力の供給と情報信号の伝達とを行うことができる。
【００２４】
（実施形態２）
本発明の実施形態２を図５に基づいて説明する。本実施形態では、実施形態１で説明したコンセントブロック２において、給電コネクタ３１と電源用コンセント２４との間で電力波形に重畳したデータを伝達可能とする状態と、前記データを伝達不能にする状態とを切り換える切替スイッチ３６を設けてある。ここで、切替スイッチ３６は例えばコンセントプラグ２の表面に露設したスイッチ（図示せず）である。なお、切替スイッチ３６以外の構成は実施形態１と同様であるので、共通する構成要素には同一の符号を付してその説明は省略する。
【００２５】
切替スイッチ３６は単極双投型のスイッチからなり、共通接点を給電コネクタ３１に接続するとともに、一方の切替接点をインピーダンスアッパ３５を介して電源用コンセント２４に接続し、他方の切替接点を電源用コンセント２４に接続している。したがって、切替スイッチ３６の切替操作に応じて、給電コネクタ３１がインピーダンスアッパ３５を介さずに電源用コンセント２４に接続されて、電力波形に重畳されるデータが伝達可能となる状態と、給電コネクタ３１と電源用コンセント２４との間にインピーダンスアッパ３５が接続されて、電力波形に重畳されるデータを伝達不能にする状態とを切り替えることができる。
【００２６】
ここで、電源用コンセント２４に電力線搬送通信の機能を持たない一般の電気機器を接続する場合には、切替スイッチ３６の接点をインピーダンスアッパ３５側に切り替えると、電力波形に重畳されたデータが伝達不能な状態に切り替えられるので、電源に重畳された信号が低インピーダンスの電気機器側に吸い込まれて、通信品質が悪化するのを防止できる。
【００２７】
一方、電源用コンセント２４に電力線搬送通信の機能を備えた電気機器を接続する場合には、切替スイッチ３６の接点をインピーダンスアッパ３５と反対側に切り替えると、電力波形に重畳されたデータが伝達可能な状態に切り替えられるので、電力波形に重畳されたデータが電源用コンセント２４側に入力されるから、電源用コンセント２４に接続された電気機器が電力線搬送方式により情報信号の送受信を行うことができる。而して、給電コネクタ３１と電源用コンセント２４との間で電力波形に重畳したデータを伝達可能とする状態と、前記データを伝達不能にする状態とを切り換える切替スイッチ３６を設けることによって、同一の電源用コンセント２４に電力線搬送通信の機能を持たない電気機器と、電力線搬送通信の機能を備えた電気機器とを選択的に接続して使用することができる。
【００２８】
ところで、エミット（ＥＭＩＴ（Embedded Micro Internetworking Technology）)と称する機器組み込み型ネットワーク技術（機器に簡単にミドルウェアを組み込んでネットワークに接続できる機能を備えるネットワーク技術、以降、ＥＭＩＴ技術と称する。）を用いることで、携帯電話、ＰＣ（Personal Computer）、ＰＤＡ（Personal  Digital Assistant）、ＰＨＳ（Personal Handy phone System）等の外部端末（図示せず）から様々な設備機器（照明装置、空調装置、動力装置、センサ、電気錠、Ｗｅｂカメラ等、以降、ＥＭＩＴ端末と称する。）＜図示せず＞にアクセスして、ＥＭＩＴ端末を遠隔監視・制御することができるシステムがある。なお、ＥＭＩＴ端末は、マイコン搭載の組み込み機器であり、機器組み込み型のネット接続用ミドルウェアであるＥＭＩＴ技術を実現するＥＭＩＴソフトウェアが搭載されている。
【００２９】
上述のＥＭＩＴ技術を応用したシステム（以降、ＥＭＩＴシステムと称する。）としては、外部端末がインターネット上に設けられたセンタサーバ（図示せず）経由でＥＭＩＴ端末を遠隔監視・制御する構成のものや、センタサーバを介することなく、例えばＥＭＩＴソフトウェアが搭載された外部端末から、直接各ＥＭＩＴ端末にアクセスしてＥＭＩＴ端末を遠隔監視・制御する構成のものを挙げることができる。
【００３０】
そしてＥＭＩＴシステムによって、例えば、建物（戸建住宅、マンション、ビル、工場用等）＜図示せず＞内に上述のＥＭＩＴ端末を分散配置させて、外部端末からＥＭＩＴ端末の状態を遠隔から監視することで、建物全体のエネルギ管理や、建物内のガス、水道、電気の遠隔検針を行うことも可能となる。
【００３１】
ここで、電力線搬送通信による伝送処理は、特定の通信プロトコルに依らないものであるが、本発明の実施形態１，２に係る配線システムを、例えば上述のＥＭＩＴシステムに適用し電力線に信号を重畳してデータ通信を行うようにしても良い。
【図面の簡単な説明】
【００３２】
【図１】実施形態１の配線システムに用いる配線ダクトにコンセントブロックを取り付ける前の状態の斜視図である。
【図２】実施形態１の配線システムに用いる配線ダクトにコンセントブロックを取り付けた状態の外観斜視図である。
【図３】（ａ）は実施形態１の配線システムに用いる配線ダクトにコンセントブロックを取り付けた状態の一部省略せる正面図、（ｂ）は側断面図である。
【図４】実施形態１の配線システムに用いるコンセントブロックの内部回路を示すブロック図である。
【図５】実施形態２の配線システムに用いるコンセントブロックの内部回路を示すブロック図である。
【符号の説明】
【００３３】
１  配線ダクト
２  コンセントブロック
１０  ダクト本体
１１  電源スペース
１２  挿通孔
１３  導体
２８  栓刃
２９  係止片
２３  栓刃挿入口
２５  ＬＡＮ接続ポート
３２  電源用コンセント
【図１】
2007166418.tif 000003
【図２】
2007166418.tif 000004
【図３】
2007166418.tif 000005
【図４】
2007166418.tif 000006
【図５】
2007166418.tif 000007
【手続補正書】
【提出日】平成19年2月26日(2007.2.26)
【手続補正１】
【補正対象書類名】特許請求の範囲
【補正対象項目名】全文
【補正方法】変更
【補正の内容】
【特許請求の範囲】
【請求項１】
造営面に配線ダクトの内部に一部を挿入した状態で、前記配線ダクトに対して回転機構を有して着脱自在に取り付けられるとともに、配線ダクトの内部両側に対置され長手方向に設けられた一対の導体に電気的に接続される一対の栓刃を有するコンセントプラグと、前記栓刃を通じて供給される商用電源に接続される電源用コンセントと、ＬＡＮ接続ポートを構成するモジュラーコネクタと、前記導体に接続される一対の栓刃を介して電力線搬送通信によりデータを送受信する電力線搬送通信部と、該電力線搬送通信部から入力されるデータをプロトコル変換して前記ＬＡＮ接続ポートに出力するとともに、前記ＬＡＮ接続ポートから入力されるデータをプロトコル変換して前記電力線搬送通信部に出力するプロトコル変換部とを備えたことを特徴とするコンセント装置。
【請求項２】
前記配線ダクトに取り付けたときに前記配線ダクトの長手方向と同方向となる前面の長手方向に前記電源用コンセント及びモジュラーコネクタの夫々差し込み口を並べて配置していることを特徴とする請求項１記載のコンセント装置。
【請求項３】
前記栓刃と前記電源用コンセントとの間の電路に、電力線搬送通信に用いる所定の周波数帯域に対してインピーダンスが高く、商用電源周波数に対してはインピーダンスが低いインピーダンスアッパを設けたことを特徴とする請求項１又は２記載のコンセント装置。
【請求項４】
前記栓刃と前記電源用コンセントとの間で電力波形に重畳したデータを伝達可能とする状態と、前記データを伝達不能にする状態とを切り換える切替スイッチを設けたことを特徴とする請求項１乃至３の何れか１項に記載のコンセント装置。
【手続補正３】
【補正対象書類名】明細書
【補正対象項目名】０００１
【補正方法】変更
【補正の内容】
【０００１】
本発明は、電力線搬送通信を用いる配線システムに対応させたコンセント装置に関するものである。
【手続補正４】
【補正対象書類名】明細書
【補正対象項目名】０００５
【補正方法】変更
【補正の内容】
【０００５】
本発明は上記問題点に鑑みて為されたもので、その目的とするところは、配線ダクトを利用して配線ダクトの所望の場所ででローカルネットワークに接続される機器を使用可能とするコンセント装置を提供することにある。
【手続補正５】
【補正対象書類名】明細書
【補正対象項目名】０００６
【補正方法】変更
【補正の内容】
【０００６】
上記目的を達成するために、請求項１の発明は、造営面に配線ダクトの内部に一部を挿入した状態で、前記配線ダクトに対して回転機構を有して着脱自在に取り付けられるとともに、配線ダクトの内部両側に対置され長手方向に設けられた一対の導体に電気的に接続される一対の栓刃を有するコンセントプラグと、前記栓刃を通じて供給される商用電源に接続される電源用コンセントと、ＬＡＮ接続ポートを構成するモジュラーコネクタと、前記導体に接続される一対の栓刃を介して電力線搬送通信によりデータを送受信する電力線搬送通信部と、該電力線搬送通信部から入力されるデータをプロトコル変換して前記ＬＡＮ接続ポートに出力するとともに、前記ＬＡＮ接続ポートから入力されるデータをプロトコル変換して前記電力線搬送通信部に出力するプロトコル変換部とを備えたことを特徴とする。
【手続補正６】
【補正対象書類名】明細書
【補正対象項目名】０００７
【補正方法】変更
【補正の内容】
【０００７】
請求項２の発明は、請求項１の発明において、前記配線ダクトに取り付けたときに前記配線ダクトの長手方向と同方向となる前面の長手方向に前記電源用コンセント及びモジュラーコネクタの夫々差し込み口を並べて配置していることを特徴とする。
【手続補正７】
【補正対象書類名】明細書
【補正対象項目名】０００８
【補正方法】変更
【補正の内容】
【０００８】
請求項３の発明は、請求項１又は２の発明において、 前記栓刃と前記電源用コンセントとの間の電路に、電力線搬送通信に用いる所定の周波数帯域に対してインピーダンスが高く、商用電源周波数に対してはインピーダンスが低いインピーダンスアッパを設けたことを特徴とする。
請求項４の発明は、請求項１乃至３の何れかの発明において、前記栓刃と前記電源用コンセントとの間で電力波形に重畳したデータを伝達可能とする状態と、前記データを伝達不能にする状態とを切り換える切替スイッチを設けたことを特徴とする。
【手続補正８】
【補正対象書類名】明細書
【補正対象項目名】０００９
【補正方法】変更
【補正の内容】
【０００９】
本発明のコンセント装置によれば、コンセントプラグを配線ダクトに接続することで配線ダクトに接続することができるもので、プロトコル変換部が電力線搬送通信部とＬＡＮ接続ポートとの間でプロトコル変換を行っているので、電力線搬送通信の機能を持たないローカルエリアネットワークの通信機器をＬＡＮ接続ポートに接続すれば、専用のＬＡＮ配線を施工しなくても電力線を利用して情報通信を行えるから、配線の数を減らしてコストダウンが図れるという効果がある。またコンセントプラグを、配線ダクトの表面に長手方向に沿って形成された連通孔を通して配線ダクトの内部に一部を挿入した状態で、配線ダクトに対して着脱自在に取着するができるので、ＬＡＮ接続ポートに接続される通信機器の近くにコンセントプラグを取り付けることにより、通信機器までの配線距離を短くできるという効果もある。